(57)【要約】【課題】使用時又は不使用時のいずれの場合においても、内蔵されたステープルの数を外部から容易に視認可能なステープラーの提供。【解決手段】ステープラー１に窓部１４と目盛針部によって形成される残針計７を設ける。このとき、窓部１４はステープラー１の蓋部２に設け、目盛針部はマガジン部３に内蔵されたプッシャーに設ける。そして目盛針部をプッシャーの動作に連動させると共に、窓部に接触させる。そして、ステープラー１が通常姿勢時、又はステープルを打出す時の打出し姿勢時のいずれの場合においても、目盛針部と窓部１４の接触状態を維持させる。【選択図】図１
2013043236.tif 000002
【特許請求の範囲】
【請求項１】
１又は複数本が束となったステープルを内部に装填可能であり、内部に装填したステープルを打ち出すための打出し口を備えたマガジン部と、当該マガジン部を覆う蓋部と、打込み片と、押圧片部とを備え、
前記押圧片部は、マガジン部の内部に装填したステープルを前記打出し口近傍へ向かって押圧し、前記ステープルを前記打出し口に対して位置決めするものであり、
打込み片が打出し口から離れた位置にある通常姿勢から、打込み片が前記打出し口近傍に位置する打出し姿勢へと移行することによってステープルを打ち出すステープラーにおいて、
マガジン部に装填したステープルの残数を視認可能な残数確認手段を有しており、
前記残数確認手段は、窓部と目盛針部とを備え、
前記窓部は、蓋部に形成されており、
前記目盛針部は押圧片部と連動するものであり、目盛針部の少なくとも一部は前記窓部にマガジン部側から接触するものであって、
通常姿勢時と打出し姿勢時のいずれにおいても目盛針部の少なくとも一部が窓部に接触した状態を維持することを特徴とするステープラー。
【請求項２】
前記目盛針部は、本体部と付勢部材とを有し、
本体部の少なくとも一部は、前記押圧片部に近づく方向に退入可能となっており、付勢部材によって押圧片部から離れる方向へ付勢されていることを特徴とする請求項１に記載のステープラー。
【請求項３】
前記蓋部は前記マガジン部の上方部分を被覆して閉塞可能なものであって、
蓋部の内側面にはガイド溝が形成されており、前記蓋部が閉じた状態にあるとき、目盛針部の少なくとも一部がガイド溝の間に位置していることを特徴とする請求項１又は２に記載のステープラー。
【発明の詳細な説明】
【技術分野】
【０００１】
本発明は、内蔵するステープル（所謂、ホチキス針、芯、たま、縫合ピン等とも称される固定用の針部材）の残数を視認可能なステープラーに関するものである。
【背景技術】
【０００２】
従来、紙を綴じる文房具や傷口を縫合する医療器具として、様々な種類のステープラーが考案されている。これらのステープラーは、一般に、内蔵したステープルを１つずつ対象物に打出すことによって、紙片束を綴じたり、傷口を閉じた状態で皮膚を固定したりすることができる。
【０００３】
ところでステープラーには、内蔵するステープルの残数を外部から視認可能なステープラーがある。この種のステープラーによると、使用者は、マガジンを開けて内部を確認するといった煩雑な操作をすることなく、ステープルの残数を確認することができる。また使用者は、ステープラーの使用中であってもステープルの残数を確認することができる。つまり、この種のステープラーは、使用者がステープルの補給時期を容易に確認できるので、空打ちを確実に防止可能であり、快適に使用することができる。
【０００４】
この種のステープラーとして、例えば、特許文献１に開示されているステープラーが知られている。特許文献１に開示されているステープラーは、ステープルマガジン（マガジン部）の上方に位置するハンドルの天面に視認窓を形成し、ステープルマガジンに内蔵されたステープルを使用者が外部から視認できる構造となっている。
【先行技術文献】
【特許文献】
【０００５】
【特許文献１】実開平５−６３７８０号公報
【発明の概要】
【発明が解決しようとする課題】
【０００６】
しかしながら、特許文献１に開示されているステープラーでは、視認窓を必ず打出し口の上方部分に設けなければならないという制限があった。具体的に説明すると、マガジンに内蔵したステープルの残数が少なくなってくると、ステープルはマガジン内部の打出し口の上方近傍にのみ位置している。したがって、このときステープルを視認するためには、視認窓を打出し口の上方に設ける必要がある。しかしながら、一般的なステープラーにおいて、打出し口の上方部分はステープルを打出すときに使用者が指で押圧する部分となっている。そのため、この部分に視認窓を設けてしまうと、ステープラーの使用時にステープルの残数が確認できないという不具合があった。
【０００７】
また特許文献１に開示されているステープラーでは、視認窓からステープルそのものを目視してステープルの残数を視認する。このとき、ステープラーに内蔵されるステープルの塊には、ステープルを一本ずつに分割する切れ目が形成されており、使用者はステープルの塊に形成された切れ目の数を視認してステープルの残数を把握する。しかしながら、一般的に１本のステープルは小さく、ステープルの塊に形成される切れ目は細かくなってしまうため、視力が低い使用者にとっては切れ目の数を目視して確認することが困難である場合があった。
【０００８】
そこで本発明は、従来技術の上記した問題に鑑みてなされたものであって、ステープラーの使用時又は不使用時のいずれの場合においても外部から内蔵されたステープルの数を視認可能であり、視力が低い使用者であっても容易にステープルの残数を視認可能なステープラーの提供を課題とするものである。
【課題を解決するための手段】
【０００９】
上記課題を解決するための請求項１に記載の発明は、１又は複数本が束となったステープルを内部に装填可能であり、内部に装填したステープルを打ち出すための打出し口を備えたマガジン部と、当該マガジン部を覆う蓋部と、打込み片と、押圧片部とを備え、前記押圧片部は、マガジン部の内部に装填したステープルを前記打出し口近傍へ向かって押圧し、前記ステープルを前記打出し口に対して位置決めするものであり、打込み片が打出し口から離れた位置にある通常姿勢から、打込み片が前記打出し口近傍に位置する打出し姿勢へと移行することによってステープルを打ち出すステープラーにおいて、マガジン部に装填したステープルの残数を視認可能な残数確認手段を有しており、前記残数確認手段は、窓部と目盛針部とを備え、前記窓部は、蓋部に形成されており、前記目盛針部は押圧片部と連動するものであり、目盛針部の少なくとも一部は前記窓部にマガジン部側から接触するものであって、通常姿勢時と打出し姿勢時のいずれにおいても目盛針部の少なくとも一部が窓部に接触した状態を維持することを特徴とするステープラーである。
【００１０】
本発明のステープラーは、ステープルの残数を視認可能な残数確認手段が、蓋部に形成された窓部と、目盛針部とから形成されている。そして、ステープルを打出し口近傍へ向かって押圧する押圧片部と、目盛針部とが連動する構成となっている。つまり、ステープルの残数に対応して動作する押圧片部と目盛針部を連動させ、目盛針部の位置を窓部から確認することによってステープルの残数が把握可能となっている。
このように、直接ステープルを視認して残数を把握するのではなく、目盛針部を介してステープルの残数を把握するので、ステープルの残数を確認するための窓部をステープルの打出し口から離れた位置に形成することができる。換言すると、本発明のステープラーは窓部を設置する位置の自由度が高く、ステープルの使用時に使用者が視認し易い位置に窓部を設けることができる。そのため、ステープラーの使用時であっても、ステープラーの不使用時と同じく外部から内蔵されたステープルの数を容易に視認可能となっている。またステープルの数を目盛りで示すため、直接ステープルを視認して残数を把握する構成に比べて、ステープルの残数を視認し易い構成にできる。
【００１１】
さらに本発明のステープラーは、打込み片が打出し口から離れた位置にある通常姿勢から、打込み片が前記打出し口近傍に位置する打出し姿勢へと移行するとき、通常姿勢時と打出し姿勢時のいずれにおいても目盛針部の少なくとも一部が窓部に接触した状態を維持する。つまり、使用者がステープラーを使用しているとき、目盛針部が窓部に常に接触している。このように、内蔵されたステープルの残数を示す目盛りの針が視認用の窓部と常に近い位置にあるため、使用者が目盛りの値を読み取り易い。このことによって、視力の低い使用者であっても、容易にステープルの残数を把握することができる。
【００１２】
請求項２に記載の発明は、前記目盛針部は、本体部と付勢部材とを有し、本体部の少なくとも一部は、前記押圧片部に近づく方向に退入可能となっており、付勢部材によって押圧片部から離れる方向へ付勢されていることを特徴とする請求項１に記載のステープラーである。
【００１３】
請求項２の構成によると、蓋部によって目盛針部が押圧片部側へ押されたとき、目盛針部の少なくとも一部は押圧片部側へ埋没する。そして、目盛針部に加わる力が低減されるか解除されたとき、目盛針部の本体部が押圧片部から離れる方向へと突出する。このように目盛針部の本体部を押圧片部に対して近接、離間する方向に相対的に動作可能とすることにより、蓋部等が押圧片部に対して近接、離間するとき、目盛針部を蓋部等の動作に沿って動作させることができる。このことにより、蓋部に形成された窓部と常に接触する目盛針部が蓋部の動作を妨げないので、操作感の良いステープラーを提供することができる。
【００１４】
請求項３に記載の発明は、前記蓋部は前記マガジン部の上方部分を被覆して閉塞可能なものであって、蓋部の内側面にはガイド溝が形成されており、前記蓋部が閉じた状態にあるとき、目盛針部の少なくとも一部がガイド溝の間に位置していることを特徴とする請求項１又は２に記載のステープラーである。
【００１５】
請求項３の構成によると、目盛針部が押圧片部と連動するとき、目盛針部をガイド溝の延び方向に沿って動作させることができる。即ち、目盛針部の既定外の方向への移動が規制されるので、目盛針部をより円滑に動作させることができる。
【発明の効果】
【００１６】
本発明ステープラーは、目盛針部及び窓部を介して内蔵されたステープルの残数を視認できるので、直接ステープルを視認することなくステープルの残数を把握可能となっている。そのため、ステープルの残数の視認が容易となり、たとえ視力の低い者であっても内蔵されたステープルの残数を容易に把握できるという効果がある。
また本発明のステープラーは、内蔵されたステープルを直接視認できる位置に窓部を設けなくてもよく、窓部の配置位置の自由度が高くなっている。そのため、ステープラーの使用時に視認し易い位置に窓部を設けることができる。そのことにより、ステープラーの使用時、不使用時に係わらず、内蔵されたステープルの残量の把握が容易であるという利点がある。
そして本発明は、通常姿勢時と打出し姿勢時のいずれにおいても目盛針部の少なくとも一部が窓部に接触した状態を維持するので、内蔵されたステープルの残数を示す目盛りの針が視認用の窓と常に近い位置にある。そのため、使用者が目盛りの値を読み取り易いという利点がある。
【図面の簡単な説明】
【００１７】
【図１】本発明の第１の実施形態にかかるステープラーを示す斜視図である。
【図２】図１のステープラーの分解斜視図である。
【図３】図１のステープラーの蓋部材を示す斜視図である。
【図４】図３の蓋部材をＡ方向からみた平面図である。
【図５】図４の蓋部材のＡ−Ａ断面図である。
【図６】図２のプッシャーを示す斜視図である。
【図７】図６のプッシャーの目盛針部の部分を示すＡ−Ａ断面図である。
【図８】図１のステープラーのステープル打出し動作を示す一部破断側面図であり、（ａ）は通常姿勢時のステープラーを示し、（ｂ）は通常姿勢から打出し姿勢へ移行した状態のステープラーを示す。
【図９】図１のステープラーにおいて、内蔵されたステープルが減少していくときの残針計の動作を示す図であり、左図がステープラーの一部破断側面図を示し、右図が左図で示すステープラーの残針計を示す平面図であって、（ａ）〜（ｃ）の順にステープルが減少していく状態を示す。
【図１０】本発明の第２の実施形態にかかるステープラーを示す斜視図である。
【図１１】図６の目盛針部とは異なる形態の目盛針部を示す斜視図である。
【発明を実施するための形態】
【００１８】
以下さらに本発明の実施形態について説明する。なお、以下の説明における前後方向は、特に断りのない限りステープルの打出し口２５側を前方とし、マガジン部３等の各部材の回動軸６側を後方として説明する。また、以下の説明における上下方向は、図１の上下方向を基準として説明する。
【００１９】
本発明の第１の実施形態のステープラー１は、主に文房具として使用されるステープラーであって、図１で示されるように、蓋部２、マガジン部３、ベース部４を有している。そして、図２で示されるように、マガジン部３には、内部に入れ込んだステープルを後方から前方へと押圧するプッシャー５（押圧片部）が内蔵されている。そして、蓋部２、マガジン部３、ベース部４は回動軸６を介して一体に取付けられており、回動軸６を中心にそれぞれ独立して回動可能となっている。このとき、図１で示されるように、蓋部２の上面には、前後方向の中心部分からやや後方よりの部分に残針計７（残数確認手段）が設けられている。ステープラー１の使用者は、この残針計７が示す値を視認することにより、ステープラー１に内蔵されたステープルの残数を把握可能となっている。
【００２０】
蓋部２は、図２で示されるように、外蓋部１０と中板部１１から構成されている。
【００２１】
外蓋部１０は略直方体であって、後方及び下方が開放された箱体となっている。このとき外蓋部１０の天板部分１０ａは、やや屈曲しつつ前後方向に延びた略長方形板状となっている。そして、この天板部分１０ａには、残針計７の一部をなす窓部１４が形成されており、窓部１４と隣接する位置に残数目盛１５が印字されている。より具体的には、窓部１４と残数目盛１５とは、外蓋部１０の幅方向（前後方向及び上下方向に直交する方向）に併設されている。
【００２２】
窓部１４は、外蓋部１０の天板部分１０ａを上下に貫通する長孔１４ａと、当該長孔１４ａを塞ぐ透明板１４ｂから形成されている。
【００２３】
このとき長孔１４ａは、外蓋部１０の幅方向の中心近傍に位置しており、外蓋部１０の前後方向の中心近傍から後方に向かって延びている。つまり、長孔１４ａは、外蓋部１０の前後方向に延びる長孔となっている。そして長孔１４ａは、開口形状が略楕円形となっている。より詳細には、長孔１４ａの開口は、前端に位置する前方に凸となった半円状の部分と、前後方向の中心に位置する略長方形状の部分と、後端に位置する後方に凸となった半円状の部分とが連続したような形状となっている。
【００２４】
またこの透明板１４ｂは、特に限定されるものではないが、アクリル等の可視光を透過する部材で形成された板状の部分である。また、詳しくは後述するが、透明板１４ｂは長孔１４ａの外側の開口を塞ぐ位置に配されている。
【００２５】
中板部１１は、ばね鋼等で形成された弾性を有する部材であり、図２で示されるように、略長方形板状の板本体部１７と、打込み片１８と、傾斜部１９を有している。
【００２６】
打込み片１８は、図２で示されるように、板本体部１７の前端部分を下方へ折り曲げることにより形成される略長方形板状の部分であり、板本体部１７の前端から略垂直下方へ突出している。
【００２７】
傾斜部１９は、板本体部１７の後端部分を折り曲げることにより形成される部分であり、中板部１１の後方下側へ向かって延びている。より詳細に説明すると、図２で示されるように、傾斜部１９は２つの略長方形板状の傾斜板部２０，２１によって形成されており、２つの傾斜板部２０，２１は所定の間隔を空けて並列に配され、同方向に延びている。そしてこの２つの傾斜板部２０，２１は、それぞれ本体部２０ａ，２１ａと、後側板部２０ｂ，２１ｂから形成されている。本体部２０ａ，２１ａと後側板部２０ｂ，２１ｂはいずれも長方形板状の部分であり、本体部２０ａ，２１ａは後側板部２０ｂ，２１ｂに比べて長手方向の長さが長くなっている。
【００２８】
本体部２０ａ，２１ａは、それぞれ前端部分で板本体部１７と連続し、後端部分で後側板部２０ｂ，２１ｂと連続している。そして本体部２０ａ，２１ａは、いずれも後方へ向かうにつれて下方に向かって延びている。換言すると、本体部２０ａ，２１ａは、中板部１１の後方下側へ向かって延びている。
【００２９】
後側板部２０ｂ，２１ｂは、それぞれ前端部分で本体部２０ａ，２１ａと連続しており、本体部２０ａ，２１ａの後端から後方へ向かうにつれて下方に向かって延びている。即ち、本体部２０ａ，２１ａの後端から後方下側へ向かって延びている。
【００３０】
ここで、図２で示されるように、本体部２０ａ，２１ａと後側板部２０ｂ，２１ｂはいずれも後方下側へ向かって延びているが、延び方向の傾斜角度が異なっている。具体的には、本体部２０ａ，２１ａと後側板部２０ｂ，２１ｂは、いずれも板本体部１７に対して傾斜する方向に延びているが、本体部２０ａ，２１ａは、後側板部２０ｂ，２１ｂに比べて傾斜が急になっている。
【００３１】
つまり、板本体部１７の後方部分を下方に折り曲げて本体部２０ａ，２１ａを形成し、さらに本体部２０ａ，２１ａの後端部分を上方に折り曲げることで後側板部２０ｂ，２１ｂを形成している。このとき、２つの傾斜板部２０，２１の折り曲げ位置は、中板部１１の前後方向において同じ位置となっており、２つの傾斜板部２０，２１は略同一の形状となっている。
【００３２】
ここで、中板部１１の後方部分に注目すると、後端から前方に向かって延びるガイド溝２３が形成されている。
【００３３】
ガイド溝２３は、図２で示されるように、中板部１１の幅方向（前後方向及び上下方向に直交する方向）の中心近傍に位置しており、中板部１１の後端から前後方向の中心近傍まで延びる溝状の部分である。より具体的には、ガイド溝２３は、傾斜部１９と板本体部１７の一部分に設けられており、後方側の傾斜部１９に形成される部分と前方側の板本体部１７に形成される部分とが連続して１つの溝を形成している。ここで後方側の傾斜部１９に形成される部分は、２つの傾斜板部２０，２１の間に位置しており、傾斜部１９の延び方向に沿って延びている。また前方側の板本体部１７に形成される部分は、板本体部１７の幅方向の中心近傍に位置しており、板本体部１７の前後方向に沿って延びている。
このとき、ガイド溝２３の開口形状は前端部分が丸みを帯びた略長方形状となっている。より具体的には、ガイド溝２３の前端部分の開口形状は前方に凸となった半円状となっている。
【００３４】
ここで蓋部２は、図２乃至図５で示されるように、外蓋部１０の天板部分１０ａの下面（外蓋部１０の内側天面）と中板部１１の板本体部１７の上面とを一体に取付けて形成されている。このとき、打込み片１８は蓋部２の前端よりやや後方部分に位置しており、傾斜部１９は蓋部２の後端よりやや前方に位置している。そして、図４，５で示されるように、窓部１４とガイド溝２３は重なり合う位置に配されている。
【００３５】
具体的に説明すると、図４，５で示されるように、窓部１４の前端とガイド溝２３の前端とは、蓋部２の前後方向において同一の位置となっている。またガイド溝２３の幅方向の長さと、窓部１４の幅方向の長さが略同一となっている。さらにガイド溝２３と窓部１４はいずれも蓋部２の前後方向に延びている。したがって、図５で示されるように、ガイド溝２３の板本体部１７に形成されている部分と窓部１４の長孔１４ａとは上下方向で連続しており、あたかも一体の溝のようになっている。
これに対して、外蓋部１０の天板部分１０ａの下面（外蓋部１０の内側天面）と中板部１１の傾斜部１９とは上下方向で離間している。したがって、図５で示されるように、ガイド溝２３の傾斜部１９に形成されている部分と窓部１４の長孔１４ａとは上下方向で離間している。
つまり、図５で示されるように、窓部１４の前端部分から後端よりやや前方の部分では、窓部１４の長孔１４ａとガイド溝２３が上下方向で連続して一体の溝を形成しており、窓部１４の後端近傍の部分では、窓部１４の長孔１４ａとガイド溝２３の間に隙間を有する構成となっている。
【００３６】
ところで、図５で示されるように、透明板１４ｂの厚さ（上下方向の長さ）Ｌ１は、長孔１４ａの深さ（上下方向の長さ）Ｌ２より小さく（短く）なっており、透明板１４ｂは長孔１４ａの上端近傍の部分に位置している。そして透明板１４ｂの上面は、外蓋部１０の天板部分１０ａの上面と同一面を形成している。即ち、透明板１４ｂの上面はステープラー１の蓋部２の上面の一部を形成する。そして長孔１４ａは、上端側の開口近傍を透明板１４ｂで閉塞されており、窓部１４はあたかも下方から上方へ向かって深くなる有底穴のような形状となっている。
【００３７】
マガジン部３は、図２で示されるように、上方と後方が開放された略直方体の箱体となっている。このとき底板部分３ａの前端近傍には、内蔵されたステープルを打出すための打出し口２５が設けられている。この打出し口２５は、マガジン部３の底板部分３ａを貫通し、マガジン部３の内部と外部を連通している。
またマガジン部３の幅方向の両端部分には、側壁部３ｂ，３ｃがそれぞれ設けられている。この２つの側壁部３ｂ，３ｃはそれぞれ略垂直に立設されるものであり、マガジン部３の前後方向の全域に亘って前後方向に沿って延びている。したがって、２つの側壁部３ｂ，３ｃは対向する位置ある。このとき、２つの側壁部３ｂ，３ｃの後端側近傍にはそれぞれ貫通孔２７，２７が設けられている。この貫通孔２７，２７は、それぞれ側壁部３ｂ，３ｃをマガジン部３の幅方向に貫通する貫通孔となっている。そして２つの貫通孔２７，２７の上下方向及び前後方向の位置は同一であり、中心軸は同一となっている。即ち、２つの貫通孔２７，２７は対向する位置にある。
【００３８】
ベース部４は、図２で示されるように、略長方形板状の本体部４ａと側壁部４ｂ，４ｃから形成されている。このとき、本体部４ａの上面の前端部分には、曲台２９が形成されている。曲台２９は周囲よりやや隆起しており、その上面に、打ち出されたステープルの脚部を折り曲げるための窪みが形成されている。また、ベース部４の後端側の部分に注目すると、幅方向両端部分に側壁部４ｂ，４ｃがそれぞれ設けられている。この２つの側壁部４ｂ，４ｃはそれぞれ略垂直に立設されるものであり、それぞれベース部４の前後方向中心より後方側の位置から後端部分まで前後方向に沿って延びている。したがって、２つの側壁部４ｂ，４ｃは対向する位置にある。このとき、２つの側壁部４ｂ，４ｃの後端側上方にはそれぞれ貫通孔３０，３０が設けられている。この貫通孔３０，３０は、それぞれ側壁部４ｂ，４ｃをベース部４の幅方向に貫通する貫通孔となっている。そして２つの貫通孔３０，３０の上下方向及び前後方向の位置は同一であり、中心軸は同一となっている。即ち、２つの貫通孔３０，３０は対向する位置にある。
【００３９】
プッシャー５は、図６で示されるように、下方を開放した断面略「コ」字状で延びるプッシャー本体５ａと、プッシャー本体５ａの前端からさらに前方へ突出するステープル押圧部３２，３２とを備えている。そして、プッシャー本体５ａの上面には、その後端近傍に目盛針部３３が設けられている。
【００４０】
目盛針部３３は、図６で示されるように、土台部３５と、針本体部３６（本体部）と、コイルばね３７（付勢部材）とを有している。
【００４１】
土台部３５は、図６で示されるように、プッシャー本体５ａの上面に設けられ、当該上面より上方に隆起した部分となっている。そして土台部３５は、図７で示されるように、その内部に内部空間４０が形成されている。この内部空間４０は略円筒状の空間となっており、上端部分の一部が開放されて外部と連続している。さらに具体的には、この内部空間４０の中心軸は傾斜しており、内部空間４０は斜め後方へ延びる空間となっている。このとき、内部空間４０の上端近傍には、内部空間４０を形成する内壁から内側へ突出する突出部４２が設けられている。この突出部４２は、より詳細には、内部空間４０の径方向の外側から中心側へ向かって突出する環状の突起となっている。そして図６，７で示されるように、突出部４２の上面は、土台部３５の上面と同一面を形成している。そのことにより、内部空間４０は、図７で示されるように、上端近傍に位置する略小径円柱状の上側空間４０ａと、下方側に位置する略大径円柱状の下側空間４０ｂとが斜め方向で連続して形成される空間となっている。なお、上側空間４０ａと下側空間４０ｂはいずれも中心軸が斜め後方へ傾斜した円柱状の空間となっている。
【００４２】
針本体部３６は、図７で示されるように、頭部３６ａ，棒状部３６ｂ，突起部３６ｃから形成されている。
【００４３】
頭部３６ａは、図６，７で示されるように、針本体部３６の上端側に位置する略円柱状の部分となっている。より詳細には、頭部３６ａは上端縁部が面取りされて丸みを帯びており、上方から下方へなだらかに傾斜している。つまり、頭部３６ａの上方では、上方から下方に向けて径が大きくなっていく部分が形成されている。
【００４４】
棒状部３６ｂは、図６，７で示されるように、略丸棒状の部分であり、頭部３６ａの下面の中心部分から略垂直下方へと突出する部分となっている。
【００４５】
突起部３６ｃは、図７で示されるように、棒状部３６ｂの下端近傍に形成され、針本体部３６の外側へ向かって突出する突起状の部分となっている。
【００４６】
ここで、図７で示されるように、針本体部３６の下方側の一部分は、土台部３５の内部空間４０内に配されており、針本体部３６の上方側の部分は、土台部３５の上面から外部へ突出している。詳細には、針本体部３６の突起部３６ｃが内部空間４０の突出部４２の下方に位置しており、針本体部３６の棒状部３６ｂが内部空間４０の上側空間４０ａに挿通され、針本体部３６の頭部３６ａが土台部３５の外部に位置する状態となっている。そして、棒状部３６ｂの径方向の長さは上側空間４０ａの径方向の長さより小さく、突起部３６ｃの径方向の長さは上側空間４０ａの径方向の長さより大きくなっている。加えて、頭部３６ａの径方向の長さは上側空間４０ａの径方向の長さより大きくなっている。これらのことから、針本体部３６が土台部３５に対して、後方上側又は前方下側へ相対的に移動可能となっている。加えて、針本体部３６が土台部３５に対して相対的に移動しても、針本体部３６が土台部３５から外れない構成となっている。
【００４７】
さらにまた、図６，７で示されるように、針本体部３６の頭部３６ａと土台部３５の天面の間には、コイルばね３７が配されている。コイルばね３７は、上端で頭部３６ａの下面と接触し、下端で土台部３５の天面に接触している。そして、針本体部３６の棒状部３６ｂを取り囲むように配置されている。このことにより、針本体部３６はコイルばね３７によって後方上側へ付勢された状態となっている。
【００４８】
次に本実施形態のステープラー１の組み立て構造について図１，２を参照しつつ説明する。本実施形態のステープラー１は、下方から上方へ向かって、ベース部４、マガジン部３、蓋部２の順に配された状態となっている。このとき、マガジン部３の貫通孔２７，２７と、ベース部４の貫通孔３０，３０が幅方向で重なった状態となっており、これら貫通孔２７，２７，３０，３０に回動軸６が挿通された状態となっている。そして、回動軸６を介して一体に取り付けられたベース部４及びマガジン部３に、蓋部２が取付けられた状態となっている。またこのとき、蓋部２は回動軸６を支点に回動可能に取り付けられるため、ベース部４、マガジン部３、蓋部２は回動軸６を支点に回動可能であり、それぞれ独立して回動可能となっている。
【００４９】
さらにまた、マガジン部３の内部にプッシャー５が配された状態となっている。このとき、プッシャー５は、図示しないバネ等の付勢部材によって前方側へ付勢された状態で配されている。
【００５０】
ここで本実施形態のステープラー１では、図１で示されるように、針本体部３６の頭部３６ａが、窓部１４の透明板１４ｂの下面に下方から接触した状態となっている。そして、蓋部２の下方に位置する針本体部３６を上方から視認可能となっている。詳説すると、図１，２で示されるように、目盛針部３３、窓部１４、残数目盛１５によって残針計７が蓋部２に形成されている。この残針計７は、蓋部２の前後方向の中心部分近傍から蓋部２の後端よりやや前方の部分にかけて設けられている。即ち、残針計７は、使用者がステープラー１を使用するとき、多くの場合において使用者が把持しない部分に設けられている。このことにより、本実施形態のステープラー１は外部からマガジン部３に内蔵したステープルの残数を視認することができる。
以上で本実施形態のステープラー１の組み立て構造についての説明を終了する。
【００５１】
本実施形態のステープラー１は、打込み片１８が打出し口２５から離れた位置にある通常姿勢から、打込み片１８が前記打出し口２５近傍に位置する打出し姿勢へと移行することによってステープルを打ち出すことができる。以下、図８を参照しつつステープラー１のステープル打出し動作について説明する。
【００５２】
通常姿勢時では、本実施形態のステープラー１は、図８（ａ）で示されるように、打込み片１８が打込み口２５の上方に離れた位置に配されている。またこのとき、マガジン部３には、複数のステープルが列状に配されて形成されるステープル束４５が内蔵されている。そして、打込み片１８と打込み口２５の間にはステープル束４５の前端部分が位置している。
【００５３】
この通常姿勢時の目盛針部３３に注目すると、針本体部３６がコイルばね３７によって上方側へ付勢されており、針本体部３６の頭部３６ａが窓部１４の透明板１４ｂに下方から接触している。より詳細には、頭部３６ａの少なくとも上方側の一部は長孔１４ａ内に位置しており、頭部３６ａの上端部分は透明板１４ｂの下面に接触している。
【００５４】
上記した通常姿勢時のステープラー１に対して、ベース部４を支持した状態で蓋部２を下方側へ押圧すると、図８（ｂ）で示されるように、ステープラー１の前端部分の近傍において蓋部２及びマガジン部３がベース部４に上方から接近して打出し姿勢へと移行する。このとき、蓋部２の移動に伴って、打込み片１８が打出し口２５と近接する。そして、ステープル束４５の前端に位置するステープルが打込み片１８によって押し出され、打出し口２５から１本のステープルが打ち出される。
【００５５】
ここで目盛針部３３に注目すると、蓋部２と一体に設けられた透明板１４ｂによって、針本体部３６の頭部３６ａが下方側に押圧される。そのことにより、針本体部３６の棒状部３６ｂが土台部３５の内部空間４０（図７参照）に入り込んでいく。つまり、透明板１４ｂによって押圧されることにより、針本体部３６がコイルばね３７の力に抗して下方へと移動する。そして、針本体部３６の棒状部３６ｂが下方から土台部３５の内部へと埋没していく。ところでこのとき、コイルばね３７は、針本体部３６の頭部３６ａを上方へ押圧し続ける。そのため、針本体部３６の頭部３６ａは透明板１４ｂに接触した状態を維持する。換言すると、針本体部３６は下方部分が土台部３５の内部へ埋没し、頭部３６ａが透明板１４ｂに接触した状態となる。
【００５６】
なお、このようにコイルばね３７が針本体部３６の頭部３６ａを押圧し続けることにより、打出し姿勢時から通常姿勢時へ移行する場合においても針本体部３６の頭部３６ａが透明板１４ｂに接触した状態を実質的に維持する。即ち、針本体部３６に対して透明板１４ｂが離れる方向へ移動しても、コイルばね３７に押圧された針本体部３６の頭部３６ａが上方へ移動して透明板１４ｂの下面に当接した状態となる。
【００５７】
つまり、本実施形態のステープラー１では、通常姿勢、打込み姿勢のいずれ場合においても、針本体部３６の頭部３６ａが透明板１４ｂに接触した状態を維持する。加えて、通常姿勢から打込み姿勢への移行時においても頭部３６ａが透明板１４ｂに接触した状態を維持すると共に、打込み姿勢から通常姿勢への移行時において頭部３６ａが透明板１４ｂに接触した状態を実質的に維持する。即ち、本実施形態のステープラー１は、使用時又は不使用時に係わらず、常時、針本体部３６の頭部３６ａが透明板１４ｂに接触した状態を実質的に維持し続ける。
【００５８】
次に、本実施形態のステープラー１においてステープル打出し動作を繰り返し、内蔵したステープル数が減少していくときのプッシャー５及び残針計７の動作について、図９を参照しつつ詳細に説明する。
【００５９】
ステープラー１のマガジン部３にステープル束４５を内蔵すると、プッシャー５のステープル押圧部３２がステープル束４５を後方から前方へと押圧した状態となる。つまり、プッシャー５がステープル束４５の後方に位置した状態となる。このとき、ステープル束４５を構成するステープルの数は、ステープラー１に内蔵可能なステープル数の最大値であるものとする。すると、図９（ａ）の左図で示されるように、目盛針部３３の針本体部３６は、頭部３６ａが窓部１４の後端側に位置した状態となっている。換言すると、ステープラー１に内蔵しているステープルの数が最大のとき、針本体部３６の頭部３６ａが窓部１４の長孔１４ａの後端側に位置するように設けられている。そしてこのとき、図９（ａ）の右図で示されるように、目盛針部３３の頭部３６ａが残数目盛１５の最大値を差し示す。
【００６０】
図９（ａ）で示される状態からステープラー１でステープル打出し動作を繰り返し、内蔵したステープル数が減少していくと、図９（ｂ）で示されるようにステープル束４５の前後方向の長さが短くなり、プッシャー５がマガジン部３に対して相対的に前方へ移動する。そして、このプッシャー５の前方への移動に伴って、プッシャー５に一体に形成された針本体部３６もまた、前方へと移動する。そして、針本体部３６が移動することにより、図９（ｂ）の右図で示されるように、残数目盛１５において目盛針部３３の頭部３６ａが差し示す値が変化する。ここで前記したように、針本体部３６の頭部３６ａは、コイルばね３７によって透明板１４ｂ側へ付勢されている。そのため、針本体部３６は、頭部３６ａが透明板１４ｂに接触した状態で前方へ摺動する。換言すると、頭部３６ａが前方へ移動するとき、頭部３６ａの上端は透明板１４ｂの下面に沿って移動する。
【００６１】
このとき、本実施形態では、針本体部３６の頭部３６ａはガイド溝２３に嵌入された状態となっている。即ち、針本体部３６の少なくとも一部がガイド溝２３内に配されている。このことにより、針本体部３６が前方へと移動するとき、ガイド溝２３によって蓋部２の幅方向側への移動を制限される。このことにより、移動時に針本体部３６が正常な位置からずれることがなく、円滑に移動することができる。
【００６２】
図９（ｂ）で示される状態からステープラー１でさらにステープル打出し動作を繰り返し、内蔵したステープル数が減少していくと、図９（ｃ）の左図で示されるように、マガジン部３の内部にステープルがない状態となる。このとき、図９（ｃ）の左図で示されるように、プッシャー５が最も前方側に位置した状態となる。詳説すると、ステープラー１にステープルが内蔵された状態では、図９（ａ），図９（ｂ）で示されるように、プッシャー５の前方にステープル（ステープル束４５）が位置する。しかしながら、ステープラー１にステープルが内蔵されていない場合、図９（ｃ）の左図で示されるように、プッシャー５の前方にステープルがなく、プッシャー５の前方への移動をステープルが妨げないので、プッシャー５はステープルが内蔵されているときより相対的に前方へ位置する。
【００６３】
このとき、図９（ｃ）の左図で示されるように、目盛針部３３の針本体部３６は、頭部３６ａが窓部１４の前端側に位置した状態となっている。換言すると、ステープラー１に内蔵しているステープルの数がゼロのとき、針本体部３６の頭部３６ａが窓部１４の長孔１４ａの前端側に位置するように設けられている。そしてこのとき、図９（ｃ）の右図で示されるように、目盛針部３３の頭部３６ａが残数目盛１５の最小値を差し示す。
以上で、内蔵したステープル数が減少していくときのプッシャー５及び残針計７の動作についての説明を終了する。
【００６４】
上記した実施形態では、初めにステープラー１に内蔵したステープルの数が、ステープラー１の内蔵可能なステープル数の最大値であったため、図９（ａ）の右図のように、目盛針部３３が残数目盛１５の最大値を差し示した。しかしながら、ステープラー１にステープルを内蔵するとき、必ずしも内蔵可能な最大数のステープルを入れなくてもよい。目盛針部３３が差し示す残数目盛１５の値は、ステープラー１に内蔵したステープルの数、即ち、ステープル束４５の前後方向の長さで可変する。したがって、初めにステープラー１に内蔵したステープルの数がステープラー１に内蔵可能なステープル数の最大値より小さい場合、残数目盛１５はステープラー１に入れたステープル数に応じた値を差し示す。本実施形態のステープラー１は、このように目盛針部３３が差し示す残数目盛１５の値が最大値でない状態から使用してもよい。
【００６５】
上記した実施形態では、手のひらに収めて使用する一般的なステープラーに本発明を適用した例を示したが、本発明を適用するステープラーはこれに限るものではない。例えば、所謂設置型と称される、大型ステープル打出し用のステープラーに本発明を適用してもよい。即ち、図１０で示される第２の実施形態のように、机上等に設置した状態でハンドルを押し下げてステープルを打ち込むステープラー１００に、残数計１０１を設けた構成であってもよい。本発明の残数計（残数確認手段）は、内蔵したステープル数に対応して動く部分（押圧片部）に目盛針部を連動でき、目盛針部の少なくとも一部が窓部に接触する構成であればよい。
【００６６】
また、上記した実施形態の目盛針部３３は、針本体部３６の頭部３６ａが上方角部分を面とりした略円柱状の頭部３６ａを示したが、本発明の針本体部の頭部はこのように形状に限るものではない。針本体部の頭部は、例えば、円柱状や角柱状のような略柱状であってもよく、球状や、半球状のように上方に凸であって上端近傍が丸みを帯びた形状であってもよい。また、天面が星型やハート型のような意匠性の高い形状であってもかまわない。
なお図１１で示されるように、頭部１０４が球体の針本体部１０３であれば、透明板１４ｂと点接触するので、面接触する構成に比べて針本体部１０３が滑らかに摺動するという効果がある。
さらにまた、上記した実施形態のように、角部分が適宜面とりされた構成であると、面とりしない構成に比べて、針本体部が摺動するときに透明板１４ｂに引っ掛かりにくく、針本体部が滑らかに動くので望ましい。
【符号の説明】
【００６７】
１  ステープラー
２  蓋部
３  マガジン部
５  プッシャー（押圧片部）
７  残針計（残数確認手段）
１４  窓部
１８  打込み片
２３  ガイド溝
２５  打出し口
３３  目盛針部
３６  本体部
３７  コイルばね（付勢部材）
４５  ステープル束
【図１】
2013043236.tif 000003
【図２】
2013043236.tif 000004
【図３】
2013043236.tif 000005
【図４】
2013043236.tif 000006
【図５】
2013043236.tif 000007
【図６】
2013043236.tif 000008
【図７】
2013043236.tif 000009
【図８】
2013043236.tif 000010
【図９】
2013043236.tif 000011
【図１０】
2013043236.tif 000012
【図１１】
2013043236.tif 000013